(57)【要約】【課題】            無機絶縁体は焼結工程で発生する収縮率が大きく、ねじれやひけが発生し易いので寸法精度が出しにくく、大量生産することは困難であった。【解決手段】        電線を接続する導電部２３とこの導電部２３を収納する導電部収納部２４と外周部に位置決め凹部２５を有する有機絶縁体の固定モジュール１９と、一つの面が開口する開口部を有し、前記固定モジュール１９の位置決め凹部２５が当接してガイドする位置決め凸部２０を備えるとともに前記固定モジュール１９を収納する略箱形状の無機絶縁体の端子台本体１３と、前記端子台本体１３の開口部に当接して固定モジュール１９の周囲を覆う無機絶縁体の端子台カバー１４とを備え、固定モジュール１９の外郭を無機絶縁体で成形された端子台本体１３及び端子台カバー１４で覆うことにより耐火性の優れる端子台１２を得ることができるとともに、導電部収納部２４に精度良く導電部２３を収納することができる。【選択図】          図３
2007059072.tif 000002
【特許請求の範囲】
【請求項１】
電線を接続する導電部と、
この導電部を収納する収納部を有する有機絶縁体の固定モジュールと、
一つの面が開口する開口部を有し、前記固定モジュールが当接してガイドされるガイド部を備えるとともに前記固定モジュールを収納する略箱形状の無機絶縁体の端子台本体と、
前記端子台本体の略箱形状の枠部に当接して固定モジュールの周囲を覆う無機絶縁体の端子台カバーと、
を備えることを特徴とする端子台。
【請求項２】
前記ガイド部は、
前記端子台本体の略箱形状の内壁部と前記固定モジュールの周縁部の接触面に備えられる第一の位置決め用凸部と、
前記第一の位置決め用凸部を備える面に対して向かい合う対面に備えられる第二の位置決め用凸部と、
第一の位置決め用凸部を備える面に対して略鉛直となる鉛直面に備えられる第三の位置決め凸部と、
前記第一、第二及び第三の位置決め凸部にそれぞれ接触させて嵌合する凹部と、
を備えることを特徴とする請求項１に記載の端子台。
【請求項３】
略箱形状の端子台本体は、
略箱形状の前記開口部に対向する内側の底面から前記開口部に向かって突出するリブを備えることを特徴とする請求項１または請求項２に記載の端子台。
【請求項４】
前記リブは、略箱形状の端子台本体の前記開口部端部まで突出していることを特徴とする請求項３に記載の端子台。
【請求項５】
前記第一の位置決め用凸部と、前記第三の位置決め用凸部と、少なくとも１つの前記リブと、を備えることを特徴とする請求項３または請求項４に記載の端子台。
【請求項６】
前記リブを前記略箱形状の端子台本体の開口部に対向する内側の底面の略中央部に備えることを特徴とする請求項３〜請求項５のいずれかに記載の端子台。
【請求項７】
前記略箱形状の端子台本体は前記第一の位置決め用凸部と、少なくとも２個の前記リブと、を備え、
前記第一の位置決め用凸部とそれぞれの前記リブを結ぶ線が、前記略箱形状の端子台本体の開口部に対して略三角形を形成する位置に前記リブを備えることを特徴とする請求項３または請求項４に記載の端子台。
【請求項８】
前記略箱形状の端子台本体は少なくとも３個の前記リブを備え、
それぞれの前記リブを結ぶ線が、前記略箱形状の端子台本体の開口部に対して略三角形を形成する位置に前記リブを備えることを特徴とする請求項３または請求項４に記載の端子台。
【請求項９】
前記固定モジュール、前記導電部及び前記端子台カバーを一方向から順に前記端子台本体の開口部に収納することを特徴とする請求項１〜請求項８に記載の端子台。
【請求項１０】
固定モジュールは自己消化性の熱硬化性樹脂を用いることを特徴とする請求項１〜請求項９記載の端子台。
【請求項１１】
請求項１〜請求項１０に記載の端子台と、
前記端子台と電線で接続される点灯装置と、
前記点灯装置と電線で接続され、ランプを固定するとともに前記点灯装置の出力電力を前記ランプに供給するランプソケットと、
前記端子台と前記点灯装置と前記ランプソケットが取り付けられる照明器具本体と、
を備える照明器具。
【発明の詳細な説明】
【技術分野】
【０００１】
この発明は、無機絶縁体によって耐火性を向上する端子台に関するものである。
【背景技術】
【０００２】
無機絶縁体は有機絶縁性の保護体内に配設され、充電部よりも長い平板状に形成されて充電部の部分放電による保護体の絶縁破壊を防止しており、無機絶縁体を平板状にすることによって寸法安定性がよく、組み立て容易になるとともに小型化でき、さらに無機絶縁体を充電部よりも長くすることにより絶縁劣化が起こってもアークの発生を防ぐことができ発火のおそれを防止するものが例えば特許文献１に開示されている。
【０００３】
【特許文献１】特開平７−６５８９７号公報（段落「０００５」４行目〜９行目、段落「００１４」１行目〜５行目）
【発明の開示】
【発明が解決しようとする課題】
【０００４】
従来の端子台は、電線を接続する充電部を収容する有機絶縁性の保護体内に無機絶縁体を備えて、絶縁劣化が起こっても充電部間のアークの発生を防ぎ発火の恐れを防止するように構成されている。
【０００５】
しかしながら、無機絶縁体を有機絶縁性の保護体で覆っているため、火災が発生したときなど照明器具の周囲に炎があるとき端子台の有機絶縁性の保護体が直接この炎にさらされる恐れがあった。
【０００６】
また、有機絶縁性の保護体を用いずに無機絶縁体を用いて端子台を構成して耐火性の優れた端子台を得ることが考えられるが、無機絶縁体は焼結工程で発生する収縮率が大きく、ねじれやひけが発生し易いので寸法精度が出しにくく、大量生産することは困難であった。
【課題を解決するための手段】
【０００７】
電線を接続する導電部と、この導電部を収納する収納部を有する有機絶縁体の固定モジュールと、一つの面が開口する開口部を有し、前記固定モジュールが当接してガイドされるガイド部を備えるとともに前記固定モジュールを収納する略箱形状の無機絶縁体の端子台本体と、前記端子台本体の略箱形状の枠部に当接して固定モジュールの周囲を覆う無機絶縁体の端子台カバーとを備える。
【発明の効果】
【０００８】
無機絶縁体で成形された端子台本体及び端子台カバーで固定モジュールの外郭が覆われるので耐火性の優れる端子台を得ることができるとともに、有機絶縁体で成形された固定モジュールに精度良く導電体を収納することができる。
【発明を実施するための最良の形態】
【０００９】
実施の形態１．
図１は本実施の形態１を示す照明器具であり、図１の照明器具について説明をする。
【００１０】
照明器具１は、照明器具本体２と、照明器具本体２に取り付けられランプ３（図示しない）を固定するランプソケット４（図示しない）と、ランプ３の光を反射する反射板５と、この反射板５の外周部備えられ天井などに固定する取付バネ６と、前記ランプソケット４と電線で接続され、前記ランプソケット４を介して前記ランプ３に電力を供給する点灯装置７と、外部から電力を供給する電源線８、前記点灯装置７に接続され前記点灯装置７に電力を供給する電力線９及びアース接地するアース線１０（図示しない）を挿入する電線挿入孔１１を有し前記照明器具本体２の外郭部に取り付けられる端子台１２とを備えている。
【００１１】
次に図２、図３の端子台について説明をする。
図２は本実施の形態１を示す端子台であり、図２（ａ）は電源線などを挿入する端子台の挿入面、図２（ｂ）は端子台の側面図、図２（ｃ）は端子台を照明器具に取り付ける端子台の取り付け面、図２（ｄ）は図２（ａ）のＡ−Ａ断面図、図３はこの端子台の分解図である。
【００１２】
端子台１２の外郭部は、磁器（例えばセラミック）、陶器などの無機絶縁体の端子台本体１３と端子台カバー１４からなり、端子台カバー１４がネジ１５などで端子台本体１３に取り付けられている。
【００１３】
端子台本体１３は、底面１６に電源線８などの電線挿入孔７を備えるとともに中央近傍からリブ１７が突出しており、底面１６の周縁部から前記リブ１７の突出方向と同じ方向に立設する側面１８とを備え、底面１６に対してリブ１７の突出方向は開口している。
【００１４】
前記端子台本体１３の側面１８には固定モジュール１９の位置決めをする位置決め凸部２０を備え、開口面にアース接地するためのネジを固定する四角ナット２１を収納する四角ナット収納部２２を備えている。
【００１５】
固定モジュール１９は、プラスチック（例えばポリプロピレン、ＡＢＳ樹脂）などの有機絶縁体で構成され、電源線８、電力線９及びアース線１０を係止するとともに導電する導電部２３を収納する導電部収納部２４を備えている。また、固定モジュール１９の外周部には、前記端子台本体１３の位置決め凸部２０に接触する位置決め凹部２５と、前記端子台本体１３のリブ７に接触して収納するリブ収納部２６を備えている。
【００１６】
導電部２３は、アース接地するためのアース線１０を接続するアース端子板２７と、電源線８及び電力線９を接続する導電板２８と、電源線８をバネ部２９の押圧で係止する電源バネ３０と、電源バネ３０の押圧を解除して係止された電源線８を取り外すための解除ボタン３１とを備えている。
【００１７】
アース端子板２７は導電性の板からなり、端部が切り起こされるアース線接触片３２ａと端部と他方の端部との間に切り起こされる他のアース線接触片３２ｂとを有し、アース線接触片３２ａと他のアース線接触片３２ｂとの間にハの字状に２箇所切り起こされるとともにバネ性を有するアース線接触バネ３３とを備えている。アース線接触バネ３３のバネ性によってアース線接触バネ３３の一端がアース線接触片３２ａまたは他のアース線接触片３２ｂに押圧されてアース線１０を係止するとともに導電する。また、アース端子板２７の前記他方の端部が切り起こされ、ネジなどを挿入する挿入孔３４を有するアース端子３５を備えている。
【００１８】
導電板２３は、導電性の板からなり、点灯装置７へ接続される電力線９を係止するとともに導電する電線係止部３６を備え、また、端部が切り起こされる接触片３７ａと、端部と他方の端部の間に切り起こされる他の接触片３７ｂと、さらに接触片３７ａと他の接触片３７ｂとの間に切り起こされる電源バネ支え片３８とを備えている。この接触片３７ａまたは他の接触片３７ｂと電源バネ支え片３８との間にそれぞれ電源バネ３０を挿入して、電源バネ３０のバネ部２９が接触片３７ａまたは他の接触片３７ｂに接触する。このバネ部２９と接触片３７ａまたは他の接触片３７ｂ間に電源線８が挿入され、電源バネ３０の押圧によって係止されるとともに導電する。
【００１９】
導電部収納部２４は、アース端子板２２を収納するアース端子収納部３９と、導電板２３の電線係止部３６を収納する電線係止部収納部４０と、導電板２３の接触片３７ａ、他の接触片３７ｂ及び電源バネ支え片３８を収納するとともに、解除ボタン３１と電源バネ３０を収納する導電板収納部４１とを備えている。
【００２０】
次に端子台１２の組み立てについて説明する。
端子台本体１３の開口している部分から固定モジュール１９を端子台本体１３のリブ１７を固定モジュール１９のリブ収納部２６に収納するように挿入していくと、端子台本体１３の内壁に備えられた位置決め凸部２０が固定モジュール１９の位置決め凹部２５に接して、固定モジュール１９を所定の位置に装着するようにガイドするとともに所定の位置に固定する。
【００２１】
端子台本体１３の四角ナット収納部２２に四角ナット２１を挿入し、端子台本体１３の開口している面側から固定モジュール１９のアース端子収納部３９にアース端子板２７を挿入して収納するとともに、四角ナット２１を四角ナット収納部２２に収納するように固定する。
【００２２】
次に端子台本体１３の開口している面側から固定モジュール１９の導電板収納部４１に導電板２８の接触片３７ａ、他の接触片３７ｂ及び電源バネ支え片３８を挿入するとともに、電線係止部収納部４０に導電板２８の電線係止部３６を挿入する。そして、導電板収納部４１に解除ボタン３１、電源バネ３０の順に挿入して、解除ボタン３１を前記電源バネ３０のバネ部２９に接触させる。
【００２３】
端子台１２に挿入される電源線８は、前記電源バネ３０と前記接触片３７ａまたは前記他の接触片３７ｂの接触部に挿入されて電源バネ３０の押圧によって係止するとともに導電し、解除ボタン３１を押すことによって電源バネ３０の押圧を解除して係止している電源線８をはずすことができるものである。
【００２４】
なお、固定モジュール１９は成形時の寸法精度の高い有機絶縁体（例えばポリプロピレンなどのプラスチック）でできているので、アース端子板２７、導電板２８、解除ボタン３１、電源バネ３０をそれぞれの収納部にスムーズに挿入できる。特に電源バネ３０のバネ部２９と導電板２８の接触片３７ａまたは他の接触片３７ｂの幅ｔ１の精度がよくなるので、電源線８を係止する力をばらつきなく適正な力とすることができ、電源線８を確実に固定することができるものである。
【００２５】
次に固定モジュール１９を端子台本体１３の開口する部分から取り付けて、固定モジュール１９を覆うように端子台本体１３内に収納して、端子台本体１３の側面の開口する部分に当接するように端子台カバー１４を取り付け、固定モジュール１９の周囲を端子台本体１３と端子台カバー１４で密閉する。
【００２６】
このように、各部品の組み込みを端子台本体１３の開口部から行えるようにしたので、一方向から組み立てができ、組み立ての作業性が向上する。
【００２７】
次に図４、図５を用いて端子台本体１３の位置決め凸部２０と固定モジュール１９の位置決め凹部２５について説明する。
【００２８】
図４は固定モジュール１９を端子台本体１３に収納するときの位置決めを示す図であり、図４（ａ）は端子台本体１３の位置決め凸部２０と固定モジュール１９の位置決め凹部２５の要所拡大図、図４（ｂ）は端子台本体１３に固定モジュール１９を挿入したときの位置決め凸部２０と位置決め凹部２５の嵌合状態を示す要所拡大断面図である。
【００２９】
図４（ｂ）は端子台本体１３に固定モジュール１９を挿入した状態を示しており、位置決め凸部２０の幅ｔ２、位置決め凸部２０の幅ｔ２と略同じか若干大きい位置決め凹部２５の幅ｔ３とし、端子台本体１３の内壁よりも固定モジュール１９を小さくして、端子台本体１３に固定モジュール１９を取り付けたときに端子台本体１３の内壁と固定モジュール１９の間にできる隙間幅をそれぞれｔ４、ｔ５としている。
【００３０】
位置決め凹部２５の幅ｔ３に位置決め凸部２０の幅ｔ２が嵌合して固定モジュール１９を所定の位置に配置するようにガイドし、固定モジュール１９の４側面に接するように位置決め凸部２０及び位置決め凹部２５とを備えて固定モジュール１９を所定の位置に挿入した後は端子台本体１３内を動かないように固定する。
【００３１】
このように位置決め凸部２０と位置決め凹部２５を配置するようにしたので、端子台本体１３の内壁間の幅より固定モジュール１９の幅を小さくして、端子台本体１３の内壁の幅と固定モジュール１９の隙間幅ｔ４、ｔ５を大きくとっても、端子台本体１３内で固定モジュール１９が動くことなく所定の位置に固定でき、また隙間幅ｔ４、ｔ５を大きくとることにより無機絶縁材料の反りやネジレが発生した場合であっても確実に端子台本体１３に固定モジュール１９を所定の位置に固定することができる。
【００３２】
なお、固定モジュール１９の位置決め凹部２５が接触する端子台本体１３の位置決め凸部２０の角部を曲線形状とすると位置決め凹部２５を挿入しやすくなる。また、固定モジュール１９の位置決め凹部２５と接触する位置決め凸部２０の接触面を斜面形状（テーパー状）にすると、固定モジュール１９を挿入するときの位置決め凸部２０と位置決め凹部２５との摩擦を少なくすることができるので組み立て性が向上するとともに、固定モジュール１９を端子台本体１３に挿入した後は位置決め凸部２０と位置決め凹部２５の接触力が強いので、固定モジュール１９を端子台本体１３の所定の位置に固定することができる。
【００３３】
また、固定モジュール１９は有機絶縁体で構成されており精度の高い成形ができるので、電源バネ２４及び導電板２８を固定モジュール１９に精度よく収納でき、電源線８を電源バネ２４と導電板２８の係止によって確実に固定できる。
【００３４】
また、工程内不良（歩留り）を低減させて生産性を高めることができるので、安価にすることが可能である。
【００３５】
電源バネ２４、導電板２８などの導電部２３は有機絶縁材料で成形された固定モジュール１９で保持するとともに、前記固定モジュール１９は前記端子台本体１３に収納させているので、燃焼性に優れるとともに、確実に電源線８を保持することができるので、耐火性に優れ、安全性の高い端子台１２を得ることができる。
【００３６】
また、固定モジュール１９に自己消化性のある熱硬化性の樹脂（例えばＵＬ９４  Ｖ−２相当以上のプラスチック樹脂）を用いると、仮に火災時などに照明器具周辺の炎が受け端子台１２の内部に侵入した場合でも、形状維持したまま自己消火するので耐火性の優れた端子台１２とすることができる。
【００３７】
また、ダウンライトなどのように照明器具本体２の外郭部に端子台１２を取り付ける照明器具１においても耐火性に優れているので、さらに安全性が向上する。
【００３８】
なお、本実施の形態１においては端子台本体１３に位置決め凸部２０、固定モジュール１９に位置決め凹部２５を備えたが、端子台本体１３に位置決め凹部、固定モジュール１９に位置決め凸部を備えてもよい。
【００３９】
また、リブ１７を端子台本体１３の底面１６の略中央部に備え、端子台本体１３の側面１８と略同じ高さ、つまりリブ１７の高さを端子台本体１３の開口端部までにすると固定モジュール１９を端子台本体１３に収納する際、位置決め凸部２０と位置決め凹部２５とが接触するまでリブ１７が固定モジュール１９をガイドするので、組み立て作業性がよくなる。また、焼成工程において端子台本体１２の底面１６の変形を抑制することができる。
【００４０】
なお、図６に示すように端子台本体１３ａの内壁の少なくとも２側面にそれぞれ位置決め凸部２０ａ、２０ｂを備え、端子台本体１３ａの底面１６にリブ１７ａを備えるようにして端子台本体１３ａの位置決め凸部２０ａ、２０ｂを２箇所にしてもよく、端子台本体１３ａを開口部から見たとき、２つの位置決め凸部２０ａ、２０ｂとリブ１７ａを線で結ぶと三角形を形成するように、２つの位置決め凸部２０ａ、２０ｂとリブ１７ａを配置している。
【００４１】
この場合においても、固定モジュール１９ａは２つの位置決め凸部２０ａ、２０ｂとリブ１７ａによって挟まれるので、前後及び左右へ動かないように規制されて所定の位置に固定される。
【００４２】
また、位置決め凸部２０及び位置決め凹部２５は固定モジュール１９の少なくとも３側面にあればリブ１７がなくても固定モジュール１９を端子台本体１３の所定の位置に固定することができる。
【００４３】
実施の形態２．
本実施の形態は、実施の形態１の位置決め凸部２０と位置決め凹部２５を少なくし、位置決め凸部２０と位置決め凹部２５およびリブ１７によって固定モジュール１９の位置決めをするように構成したものである。
【００４４】
図７は本実施の形態における端子台本体１３と固定モジュール１９を示す図であり、実施の形態１と同等の部分は同一符号を付し説明を省略する。
【００４５】
端子台本体１３の内壁の１側面に位置決め凸部２０を備え、底面部に２本のリブ１７を備えている。
【００４６】
このとき、端子台本体１３を開口部から見たとき、位置決め凸部２０と２本のリブ１７を線で結ぶと三角形を形成するように、位置決め凸部２０と２本のリブ１７を配置する。
【００４７】
固定モジュール１９は、前記端子台本体１３の位置決め凸部２０に挿入する位置決め凹部２５と、２本のリブ１７をそれぞれ収納するリブ収納部２６を備えている。
【００４８】
固定モジュール１９は、位置決め凸部２０とリブ１７、及び互いのリブ１７によって挟まれるので、前後及び左右へ動かないように規制されて所定の位置に固定される。
【００４９】
実施の形態３．
本実施の形態は、実施の形態１の位置決め凸部２０と位置決め凹部２５をなくし、リブ１７によって固定モジュール１９の位置決めをするように構成したものである。
【００５０】
図８は本実施の形態における端子台本体１３と固定モジュール１９を示す図であり、実施の形態１と同等の部分は同一符号を付し説明を省略する。
端子台本体１３の底面１６に３本のリブ１７を備え、この３本のリブ１７は端子台本体１３を開口部から見たとき３本のリブ１７を線で結ぶと三角形を形成するように配置している。
【００５１】
固定モジュール１９は、前記端子台本体１３の３本のリブ１７をそれぞれ収納するリブ収納部２６を備えており、端子台本体１３のリブ１７をリブ収納部２６に接触するように収納して端子台本体１３に固定モジュール１９が収納される。
【００５２】
固定モジュール１９は互いのリブ１７によって挟まれるので、前後及び左右へ動かないように規制されて所定の位置に固定される。
【産業上の利用可能性】
【００５３】
電気製品の商用電源の電源線を接続するための端子台に関するものである。
【図面の簡単な説明】
【００５４】
【図１】実施の形態１を示す照明器具である。
【図２】実施の形態１を示す端子台の斜視図である。
【図３】実施の形態１を示す端子台の分解斜視図である。
【図４】実施の形態１を示す端子台本体と固定モジュールの要所拡大図である。
【図５】実施の形態１を示す端子台本体と固定モジュールである。
【図６】実施の形態１を示す他の端子台本体と固定モジュールである。
【図７】実施の形態２を示す端子台本体と固定モジュールである。
【図８】実施の形態３を示す端子台本体と固定モジュールである。
【符号の説明】
【００５５】
１  照明器具、２  照明器具本体、３  ランプ、４  ランプソケット、５  反射板、６  取付バネ、７  点灯装置、８  電源線、９  電力線、１０  アース線、１１  電線挿入孔、１２  端子台、１３  端子台本体、１４  端子台カバー、１５  ネジ、１６  底面、１７  リブ、１８  側面、１９  固定モジュール、２０  位置決め凸部、２１  四角ナット、２２  四角ナット収納部、２３  導電部、２４  導電部収納部、２５  位置決め凹部、２６  リブ収納部、２７  アース端子板、２８  導電板、２９  バネ部、３０  電源バネ、３１  解除ボタン、３２ａ、３２ｂ  アース線接触片、３３  アース線接触バネ、３４  挿入孔、３５  アース端子、３６  電線係止部、３７ａ、３７ｂ  接触片、３８  電源バネ支え片、３９  アース端子収納部、４０  電線係止部収納部、４１  導電板収納部。
【図１】
2007059072.tif 000003
【図２】
2007059072.tif 000004
【図３】
2007059072.tif 000005
【図４】
2007059072.tif 000006
【図５】
2007059072.tif 000007
【図６】
2007059072.tif 000008
【図７】
2007059072.tif 000009
【図８】
2007059072.tif 000010